(57)【要約】【課題】通話相手を特定できない着信に対して、自分の話す声を音声変換して通話する。【解決手段】コントローラ部と、前記コントローラ部へキーデータを入力するキー入力部と、前記コントローラ部の指示により上り音声を他人の音声に音声変換する音声処理部と、マイクから入力される上り音声をＡ／Ｄ変換して前記音声処理部に出力する音声コーデック部と、前記音声処理部が音声変換を行う際の音声データを記憶するメモリと、前記音声処理部から出力される上り音声を無線変調してアンテナに出力すると共に前記アンテナから受信する下り音声の無線復調を行って前記音声処理部に出力する送受信部と、を備える音声変換機能付き携帯電話であって、前記コントローラ部は、着信した際の着信メッセージから発信者電話番号が取得できない場合に、前記音声処理部に音声変換を行う指示信号を出力することにより上り音声の音声変換を行わせる。【選択図】      図１
2005269259.tif 000002
【特許請求の範囲】
【請求項１】
コントローラ部と、前記コントローラ部へキーデータを入力するキー入力部と、前記コントローラ部の指示により上り音声を他人の音声に音声変換する音声処理部と、マイクから入力される上り音声をＡ／Ｄ変換して前記音声処理部に出力する音声コーデック部と、前記音声処理部が音声変換を行う際の音声データを記憶するメモリと、前記音声処理部から出力される上り音声を無線変調してアンテナに出力すると共に前記アンテナから受信する下り音声の無線復調を行って前記音声処理部に出力する送受信部と、を備える音声変換機能付き携帯電話であって、
前記コントローラ部は、着信した際の着信メッセージから発信者電話番号が取得できない場合に、前記音声処理部に音声変換を行う指示信号を出力することにより上り音声の音声変換を行わせる、ことを特徴とする音声変換機能付き携帯電話。
【請求項２】
前記コントローラ部は、着信した際の着信メッセージから発信者電話番号が取得できた場合に、前記コントローラ部の備える電話帳内に該発信者電話番号が記憶されているかを判定し、前記電話帳内に該発信者電話番号が記憶されていない場合に、前記音声処理部に音声変換を行う指示信号を出力することにより上り音声の音声変換を行わせる、ことを特徴とする請求項１に記載の音声変換機能付き携帯電話。
【請求項３】
前記コントローラ部は、着信した際の着信メッセージから発信者電話番号が取得できた場合に、前記コントローラ部の備える電話帳内に該発信者電話番号が記憶されているかを判定し、前記電話帳内に該発信者電話番号が記憶されている場合に、前記音声処理部に音声変換を行わせない、ことを特徴とする請求項１に記載の音声変換機能付き携帯電話。
【請求項４】
前記コントローラ部は、前記キー入力部から音声変換停止のキーデータが入力された場合に、前記音声処理部に音声変換を停止させる指示信号を出力することにより上り音声の音声変換を停止させる、ことを特徴とする請求項１或いは請求項２の何れか１項に記載の音声変換機能付き携帯電話。
【請求項５】
前記音声処理部は、前記音声コーデック部から出力されるＡ／Ｄ変換後の上り音声を音素に分割する音声認識部と、前記音素に対応する波形データを前記メモリから取得して音素ごとの波形データを変換し、変換後の波形データを合成して音声変換を行う音声変換部と、を備えることを特徴とする請求項１から請求項４の何れか１項に記載の音声変換機能付き携帯電話。
【請求項６】
コントローラ部と、前記コントローラ部へキーデータを入力するキー入力部と、前記コントローラ部の指示により上り音声を他人の音声に音声変換する音声処理部と、マイクから入力される上り音声をＡ／Ｄ変換して前記音声処理部に出力する音声コーデック部と、前記音声処理部が音声変換を行う際の音声データを記憶するメモリと、前記音声処理部から出力される上り音声を無線変調してアンテナに出力すると共に前記アンテナから受信する下り音声の無線復調を行って前記音声処理部に出力する送受信部と、を備える音声変換機能付き携帯電話における通話方法であって、
前記コントローラ部は、着信した際の着信メッセージから発信者電話番号が取得できない場合に、前記音声処理部に音声変換を行う指示信号を出力することにより上り音声の音声変換を行わせる、ことを特徴とする通話方法。
【請求項７】
前記コントローラ部は、着信した際の着信メッセージから発信者電話番号が取得できた場合に、前記コントローラ部の備える電話帳内に該発信者電話番号が記憶されているかを判定し、前記電話帳内に該発信者電話番号が記憶されていない場合に、前記音声処理部に音声変換を行う指示信号を出力することにより上り音声の音声変換を行わせる、ことを特徴とする請求項６に記載の通話方法。
【請求項８】
前記コントローラ部は、着信した際の着信メッセージから発信者電話番号が取得できた場合に、前記コントローラ部の備える電話帳内に該発信者電話番号が記憶されているかを判定し、前記電話帳内に該発信者電話番号が記憶されている場合に、前記音声処理部に音声変換を行わせない、ことを特徴とする請求項６に記載の通話方法。
【請求項９】
前記コントローラ部は、前記キー入力部から音声変換停止のキーデータが入力された場合に、前記音声処理部に音声変換を停止させる指示信号を出力することにより上り音声の音声変換を停止させる、ことを特徴とする請求項６或いは請求項７の何れか１項に記載の通話方法。
【請求項１０】
前記音声処理部は、前記音声コーデック部から出力されるＡ／Ｄ変換後の上り音声を音素に分割し、前記音素に対応する波形データを前記メモリから取得して音素ごとの波形データを変換し、変換後の波形データを合成して音声変換を行う、ことを特徴とする請求項６から請求項９の何れか１項に記載の通話方法。
【請求項１１】
コントローラ部と、前記コントローラ部へキーデータを入力するキー入力部と、前記コントローラ部の指示により上り音声を他人の音声に音声変換する音声処理部と、マイクから入力される上り音声をＡ／Ｄ変換して前記音声処理部に出力する音声コーデック部と、前記音声処理部が音声変換を行う際の音声データを記憶するメモリと、前記音声処理部から出力される上り音声を無線変調してアンテナに出力すると共に前記アンテナから受信する下り音声の無線復調を行って前記音声処理部に出力する送受信部と、を備える音声変換機能付き携帯電話の前記コントローラ部のコンピュータに、
着信を受け付ける処理と、着信メッセージから発信者電話番号を取得させる処理と、前記着信メッセージから発信者電話番号が取得できない場合に、前記音声処理部に音声変換を行う指示信号を出力することにより上り音声の音声変換を行わせる処理とを実行させる、ことを特徴とするプログラム。
【請求項１２】
前記プログラムは、前記着信メッセージから発信者電話番号が取得できた場合に、前記コントローラ部の備える電話帳内に該発信者電話番号が記憶されているかを判定する処理を実行させ、前記電話帳内に該発信者電話番号が記憶されていない場合に、前記音声処理部に音声変換を行う指示信号を出力することにより上り音声の音声変換を行わせる処理を実行させる、ことを特徴とする請求項１１に記載のプログラム。
【請求項１３】
前記プログラムは、前記着信メッセージから発信者電話番号が取得できた場合に、前記コントローラ部の備える電話帳内に該発信者電話番号が記憶されているかを判定する処理を実行させ、前記電話帳内に該発信者電話番号が記憶されている場合に、前記音声処理部に音声変換を行わせない処理を実行させる、ことを特徴とする請求項１１にプログラム。
【請求項１４】
前記プログラムは、前記キー入力部から音声変換停止のキーデータが入力された場合に、前記音声処理部に音声変換を停止させる指示信号を出力することにより上り音声の音声変換を停止させる処理を実行させる、ことを特徴とする請求項１１或いは請求項１２の何れか１項に記載のプログラム。
【発明の詳細な説明】
【技術分野】
【０００１】
本発明は音声変換機能付き携帯電話及び通話方法並びにプログラムに関し、特に、通話相手を特定できない着信に対して自分の話す声を音声変換して通話することを可能とする、音声変換機能付き携帯電話及び通話方法並びにプログラムに関する。
【背景技術】
【０００２】
発信者電話番号を表示する機能を有する携帯電話においては、着信時に発信者の電話番号を画面に表示することができ、また、予めメモリ内に電話番号と名前が登録されていれば、発信者の名前を画面に表示することができる。従って、着信時に発信者の電話番号や名前を確認でき、発信者を特定することができるので、安心して応答することが可能である。
【０００３】
しかし、発信者電話番号を表示可能な携帯電話であっても、発信者が電話番号非通知で発信した場合や、公衆電話からの発信である場合には、電話番号や名前が画面に表示されず、着信時に発信者を特定することはできない。発信者が電話番号を通知してこない理由として、いたずら目的の電話であることも考えられるが、発信者を特定できないため、本当にいたずら電話であるかを判断するためには応答せざるを得ない。応答した場合には、自分の声を通話相手に聞かれることとなり、安心して応答することができない。
【０００４】
このような、いたずら電話に対処するため、相手にイタズラをあきらめさせる電話撃退装置が提案されている（例えば、特許文献１参照。）。
【０００５】
上述した特許文献１の「イタズラ電話撃退装置」においては、イタズラ電話がかかってきたことを確認した後に、撃退装置に切り換えるようにしている。そして、イタズラ電話の内容に相応する音声メッセージがプリセットされた所定のキーを選択して押すと、予め決められた時間または所定の回数、前記プリセットされた音声メッセージを繰り返し相手に送出するようになっている。このことにより、イタズラに相応する最適なメッセージを所定の回数繰り返し送出できるので、相手にイタズラをあきらめさせることができる、としている。
【０００６】
また、いたずら電話を防止したり、電話に遊びの要素を持たせたりするための電話機も提案されている（例えば、特許文献２参照。）。
【０００７】
上述した特許文献２の「電話機」は、通話音の音質を、前もって用意しておいた複数個の音声の中から選択された一つの音声の音質に変えるようにしている。このことにより、電話に遊びの要素を持たせたり、いたずら電話防止等を行うことができる、としている。
【０００８】
【特許文献１】特開平６−９０２７９号公報（第２−３頁、図１−４）
【特許文献２】特開平２−９２０４７号公報（第１−２頁、第１図）
【発明の開示】
【発明が解決しようとする課題】
【０００９】
上述した特許文献１のイタズラ電話撃退装置は、電話の応答を行ってイタズラ電話であることを確認した後に撃退装置に切り換えるものであり、電話の応答の前に、イタズラ電話に対応できるようにはなっていない。
【００１０】
また、上述した特許文献２の電話機は、通話音の音質を変えるようにしているが、電話の応答の前に、通話相手を識別するものではない。
【００１１】
本発明は上述した事情を改善するために成されたものであり、従って本発明の目的は、通話相手を特定できない着信に対して、自分の話す声を音声変換して通話することを可能とする、音声変換機能付き携帯電話及び通話方法並びにプログラムを提供することにある。
【課題を解決するための手段】
【００１２】
本発明の音声変換機能付き携帯電話は、コントローラ部と、前記コントローラ部へキーデータを入力するキー入力部と、前記コントローラ部の指示により上り音声を他人の音声に音声変換する音声処理部と、マイクから入力される上り音声をＡ／Ｄ変換して前記音声処理部に出力する音声コーデック部と、前記音声処理部が音声変換を行う際の音声データを記憶するメモリと、前記音声処理部から出力される上り音声を無線変調してアンテナに出力すると共に前記アンテナから受信する下り音声の無線復調を行って前記音声処理部に出力する送受信部と、を備える音声変換機能付き携帯電話であって、
前記コントローラ部は、着信した際の着信メッセージから発信者電話番号が取得できない場合に、前記音声処理部に音声変換を行う指示信号を出力することにより上り音声の音声変換を行わせる、ことを特徴とする。
【００１３】
また、前記コントローラ部は、着信した際の着信メッセージから発信者電話番号が取得できた場合に、前記コントローラ部の備える電話帳内に該発信者電話番号が記憶されているかを判定し、前記電話帳内に該発信者電話番号が記憶されていない場合に、前記音声処理部に音声変換を行う指示信号を出力することにより上り音声の音声変換を行わせる、ことを特徴とする。
【００１４】
さらに、前記コントローラ部は、着信した際の着信メッセージから発信者電話番号が取得できた場合に、前記コントローラ部の備える電話帳内に該発信者電話番号が記憶されているかを判定し、前記電話帳内に該発信者電話番号が記憶されている場合に、前記音声処理部に音声変換を行わせない、ことを特徴とする。
【００１５】
また、前記コントローラ部は、前記キー入力部から音声変換停止のキーデータが入力された場合に、前記音声処理部に音声変換を停止させる指示信号を出力することにより上り音声の音声変換を停止させる、ことを特徴とする。
【００１６】
さらに、前記音声処理部は、前記音声コーデック部から出力されるＡ／Ｄ変換後の上り音声を音素に分割する音声認識部と、前記音素に対応する波形データを前記メモリから取得して音素ごとの波形データを変換し、変換後の波形データを合成して音声変換を行う音声変換部と、を備えることを特徴とする。
【００１７】
本発明の通話方法は、コントローラ部と、前記コントローラ部へキーデータを入力するキー入力部と、前記コントローラ部の指示により上り音声を他人の音声に音声変換する音声処理部と、マイクから入力される上り音声をＡ／Ｄ変換して前記音声処理部に出力する音声コーデック部と、前記音声処理部が音声変換を行う際の音声データを記憶するメモリと、前記音声処理部から出力される上り音声を無線変調してアンテナに出力すると共に前記アンテナから受信する下り音声の無線復調を行って前記音声処理部に出力する送受信部と、を備える音声変換機能付き携帯電話における通話方法であって、
前記コントローラ部は、着信した際の着信メッセージから発信者電話番号が取得できない場合に、前記音声処理部に音声変換を行う指示信号を出力することにより上り音声の音声変換を行わせる、ことを特徴とする。
【００１８】
また、前記コントローラ部は、着信した際の着信メッセージから発信者電話番号が取得できた場合に、前記コントローラ部の備える電話帳内に該発信者電話番号が記憶されているかを判定し、前記電話帳内に該発信者電話番号が記憶されていない場合に、前記音声処理部に音声変換を行う指示信号を出力することにより上り音声の音声変換を行わせる、ことを特徴とする。
【００１９】
さらに、前記コントローラ部は、着信した際の着信メッセージから発信者電話番号が取得できた場合に、前記コントローラ部の備える電話帳内に該発信者電話番号が記憶されているかを判定し、前記電話帳内に該発信者電話番号が記憶されている場合に、前記音声処理部に音声変換を行わせない、ことを特徴とする。
【００２０】
また、前記コントローラ部は、前記キー入力部から音声変換停止のキーデータが入力された場合に、前記音声処理部に音声変換を停止させる指示信号を出力することにより上り音声の音声変換を停止させる、ことを特徴とする。
【００２１】
さらに、前記音声処理部は、前記音声コーデック部から出力されるＡ／Ｄ変換後の上り音声を音素に分割し、前記音素に対応する波形データを前記メモリから取得して音素ごとの波形データを変換し、変換後の波形データを合成して音声変換を行う、ことを特徴とする。
【００２２】
本発明のプログラムは、コントローラ部と、前記コントローラ部へキーデータを入力するキー入力部と、前記コントローラ部の指示により上り音声を他人の音声に音声変換する音声処理部と、マイクから入力される上り音声をＡ／Ｄ変換して前記音声処理部に出力する音声コーデック部と、前記音声処理部が音声変換を行う際の音声データを記憶するメモリと、前記音声処理部から出力される上り音声を無線変調してアンテナに出力すると共に前記アンテナから受信する下り音声の無線復調を行って前記音声処理部に出力する送受信部と、を備える音声変換機能付き携帯電話の前記コントローラ部のコンピュータに、
着信を受け付ける処理と、着信メッセージから発信者電話番号を取得させる処理と、前記着信メッセージから発信者電話番号が取得できない場合に、前記音声処理部に音声変換を行う指示信号を出力することにより上り音声の音声変換を行わせる処理とを実行させる、ことを特徴とする。
【００２３】
また、前記プログラムは、前記着信メッセージから発信者電話番号が取得できた場合に、前記コントローラ部の備える電話帳内に該発信者電話番号が記憶されているかを判定する処理を実行させ、前記電話帳内に該発信者電話番号が記憶されていない場合に、前記音声処理部に音声変換を行う指示信号を出力することにより上り音声の音声変換を行わせる処理を実行させる、ことを特徴とする。
【００２４】
さらに、前記プログラムは、前記着信メッセージから発信者電話番号が取得できた場合に、前記コントローラ部の備える電話帳内に該発信者電話番号が記憶されているかを判定する処理を実行させ、前記電話帳内に該発信者電話番号が記憶されている場合に、前記音声処理部に音声変換を行わせない処理を実行させる、ことを特徴とする。
【００２５】
また、前記プログラムは、前記キー入力部から音声変換停止のキーデータが入力された場合に、前記音声処理部に音声変換を停止させる指示信号を出力することにより上り音声の音声変換を停止させる処理を実行させる、ことを特徴とする。
【発明の効果】
【００２６】
本発明の音声変換機能付き携帯電話及び通話方法並びにプログラムは、発信者電話番号が通知されず通話相手を特定できない着信に対して、上り音声を音声変換して通話相手に送信しているため、通話相手にこちらの音声が特定されず、安心して通話を行うことが可能となる、という効果を有している。
【発明を実施するための最良の形態】
【００２７】
次に、本発明の実施の形態について図面を参照して説明する。
【００２８】
図１は、本発明の音声変換機能付き携帯電話の一実施形態を示すブロック図である。
【００２９】
図１に示す本実施の形態の音声変換機能付き携帯電話１００は、音声変換機能付き携帯電話１００の全体を制御するコントローラ部９と、コントローラ部９が出力する表示データを表示する表示部８と、コントローラ部９へのキーデータを入力するキー入力部１０とを備えている。
【００３０】
また、音声入力用のマイク３と、音声出力用のレシーバ４と、音声のＡ／Ｄ変換（Ａｎａｌｏｇ  ｔｏ  Ｄｉｇｉｔａｌ  ｔｒａｎｓｌａｔｉｏｎ）とデジタル音声のＤ／Ａ変換（Ｄｉｇｉｔａｌ  ｔｏ  Ａｎａｌｏｇ  ｔｒａｎｓｌａｔｉｏｎ）を行う音声コーデック部７と、音声変換を行う音声処理部６と、音声処理部６が音声変換を行う際に使用する音声データを蓄積しているメモリ２とを備えている。
【００３１】
さらに、無線電波の送受信を行うアンテナ１と、無線変復調を行う送受信部５とを備えている。
【００３２】
コントローラ部９は、ＣＰＵ（Ｃｅｎｔｒａｌ  Ｐｒｏｃｅｓｓｉｎｇ  Ｕｎｉｔ：中央処理装置）と記憶装置を備え、記憶装置内の制御プログラムに従ってＣＰＵが動作し、音声変換機能付き携帯電話１００の制御を行う。記憶装置には、制御プログラムの他に、電話帳や各種の設定データが記憶されており、特に本実施形態においては、音声変換機能を使用するか否かを指示する音声変換設定データが記憶されている。音声変換機能を使用する場合は、音声変換設定データには「有効」が記憶され、音声変換機能を使用しない場合は「無効」が記憶されている。なお、音声変換設定データの内容は、キー入力部１０からのキーデータにより設定され得る。また、電話帳には、電話番号と該電話番号の所有者の氏名などが記憶されている。
【００３３】
そして、コントローラ部９は、信号ｉを通してキー入力部１０からのキーデータを入力し、信号ｈを通して表示データを表示部８に出力する。また、信号ｇを通して音声処理部６と送受信部５を制御する。また、コントローラ部９は、電話の着信時に、発信者の電話番号が通知されていれば、該発信者の電話番号を表示部８に表示する発信者電話番号表示機能をも備えている。
【００３４】
音声コーデック部７は、信号ｃを通してマイク３から入力された上り音声のＡ／Ｄ変換を行い、信号ｆを通して音声処理部６に出力する。また、信号ｆを通して音声処理部６から入力された下り音声のＤ／Ａ変換を行い、信号ｄを通してレシーバ４に出力する。
【００３５】
音声処理部６は、信号ｆを通して入力された上り音声の音声認識を行い、信号ｂを通してメモリ２に格納された音声データの取得を行って音声変換を行い、これをエンコードして音声フォーマット形式のデータとし、信号ｅを通して送受信部５に出力する。また、信号ｅを通して送受信部５から入力された下り音声については、音声フォーマット形式のデータのデコードを行い、音声変換せずに、信号ｆを通して音声コーデック部７に出力する。
【００３６】
送受信部５は、信号ｅを通して入力された上り音声に対して無線変調を行い、アンテナ１に出力する。また、アンテナ１を通して受信した下り音声の無線復調を行い、信号ｅを通して音声処理部６に出力する。
【００３７】
次に、図２を参照して、音声処理部６の構成について説明する。
【００３８】
図２は、音声処理部の一例を示す詳細ブロック図である。
【００３９】
図２において、音声処理部６は、信号ｇを通して音声変換を行うか否かが入力され、音声変換を行うと指示された場合には、上り音声を音声認識部６１に出力し、音声変換を行わないと指示された場合には、上り音声をエンコード部６３に出力するよう切り替える音声変換切替スイッチ６０を備えている。
【００４０】
また、信号ｆを通して入力された上り音声の音声認識を行う音声認識部６１と、信号ｂを通してメモリ２に格納された音声データ２１の取得を行って音声変換を行う音声変換部６２とを備えている。
【００４１】
さらに、信号ｆを通して入力された上り音声、或いは、音声変換部６２で音声変換したデータ、のエンコードを行って音声フォーマット形式のデータとするエンコード部６３と、信号ｅを通して入力される下り音声のデコードを行うデコード部６４とを備えている。
【００４２】
また、メモリ２は、音声データ２１を記憶しており、音声データ２１は音素ごとの波形データとして記憶されている。音声データ２１内の波形データは、音声処理部６で音声変換を行う際の変換後の波形データ、つまり、他人の音声の波形データである。
【００４３】
音声認識部６１は、上り音声を認識して母音・子音の音素に分割する音素認識部６１１と、音素に分割する際に参照する音素テーブル６１２とを備えている。音素テーブル６１２には、音声の部分の波形とその波形に対応する音素が記憶されている。
【００４４】
そして、音素認識部６１１は、上り音声の波形の部分部分が、音素テーブル６１２内のどの波形に対応するかについての認識を行い、当該波形に対応する音素を取得することにより、上り音声を音素に分割するようになっている。例えば、上り音声が「私は○○です」であるとすると、音素認識部６１１は、この上り音声の波形の部分部分を音素テーブル６１２の波形と対応させることによって、上り音声が「ＷＡＴＡＳＩＷＡＭＡＲＵＭＡＲＵＤＥＳＵ」という音素から構成されていることを認識する。分割した音素（の列）は音声変換部６２に出力する。
【００４５】
音声変換部６２は、音声認識部６１から出力される音素（の列）を受信し、当該音素の波形を他人の波形に変換する音素変換部６２１と、変換後の音素の合成を行う合成部６２２とを備えている。
【００４６】
そして、音素変換部６２１は、音声認識部６１の音素認識部６１１から出力される音素（の列）を受信すると、音素ごとに音声データ２１内から当該音素の波形データを取得して、合成部６２２に出力する。音声データ２１から取得する音素ごとの波形データは他人の音声の波形データであるため、音声変換が行われたこととなる。合成部６２２は、音素変換部６２１から出力された音素ごとの波形データを合成して、エンコード部６３に出力する。
【００４７】
なお、メモリ２内の音声データ２１は、複数用意するようにしてもよい。複数の音声データ２１の中から何れかの音声データ２１を選択して使用するようにすれば、音声変換を行う際の変換後の音声の種類を変えることが可能となる。
【００４８】
次に、図３を参照して、本実施形態の動作について詳細に説明する。
【００４９】
図３は、本実施形態の動作を説明するフローチャートである。
【００５０】
図３において、音声変換機能付き携帯電話１００のコントローラ部９が着信を検出し（ステップＳ１０１）、キー入力部１０から応答ボタンが押下されたことを示すキーデータが入力されると（ステップＳ１０２）、コントローラ部９は、着信メッセージから発信者電話番号（以下、発信者番号と称するものとする。）を取得し、発信者番号が取得できたか否かを判定する（ステップＳ１０３）。
【００５１】
発信者番号を取得できた場合には（ステップＳ１０３でＹＥＳ）、コントローラ部９が備える記憶装置に記憶されている電話帳に、該発信者番号が登録されているか否かの確認を行う（ステップＳ１０４）。そして、発信者番号が電話帳に登録されている場合には（ステップＳ１０４でＹＥＳ）、音声変換を行わないように音声処理部６に指示する信号を出力して、通話を開始する（ステップＳ１０９）。この通話の音声変換は行われず、通常の音声での通話が行われる。
【００５２】
発信者番号を取得できなかった場合には（ステップＳ１０３でＮＯ）、コントローラ部９は、コントローラ部９が備える記憶装置に記憶されている音声変換設定データを参照して、音声変換設定データが有効か無効かを確認する（ステップＳ１０５）。音声変換設定データが有効になっていれば（ステップＳ１０５でＹＥＳ）、音声変換を行うように音声処理部６に指示する信号を出力して、音声変換を行わせるようにし（ステップＳ１０７）、音声変換を行う通話を開始する（ステップＳ１０８）。音声変換設定データが無効である場合は（ステップＳ１０５でＮＯ）、音声変換を行わないためステップＳ１０９に進み、通常の音声による通話が開始される。
【００５３】
発信者番号を取得できた場合（ステップＳ１０３でＹＥＳ）であって、かつ、該発信者番号が電話帳に登録されていない場合には（ステップＳ１０４でＮＯ）、ステップＳ１０５におけると同様に、コントローラ部９は、コントローラ部９が備える記憶装置に記憶されている音声変換設定データを参照して、音声変換設定データが有効か無効かを確認する（ステップＳ１０６）。音声変換設定データが有効になっていれば（ステップＳ１０６でＹＥＳ）、ステップＳ１０７に進み、音声変換を行うように音声処理部６に指示する信号を出力して、音声変換を行わせるようにする。音声変換設定データが無効である場合は（ステップＳ１０６でＮＯ）、音声変換を行わないためステップＳ１０９に進み、通常の音声による通話が開始される。
【００５４】
ステップＳ１０８によって、音声変換を行う通話が開始されると、マイク３から入力される上り音声は、音声コーデック部７でＡ／Ｄ変換が行われて音声処理部６に入力される。音声処理部６は、コントローラ部９からの指示信号によって音声変換を行うよう指示されているため、音声コーデック部７からのＡ／Ｄ変換された上り音声を、音声変換切替スイッチ６０を介して音声認識部６１に渡して音素（の列）に分割し、該音素（の列）を音声変換部６２に渡して音声変換を行いエンコード部６３でエンコードする。エンコードされた上り音声は、送受信部５を介してアンテナ１から出力される。
【００５５】
ステップＳ１０８により音声変換を行う通話が開始された後、コントローラ部９は、音声変換を行う通話を解除するか否かを判定する（ステップＳ１１０）。音声変換を行う通話を解除する、すなわち、音声変換を行わない通常の通話を行わせるためには、キー入力部１０の音声変換停止キーを押下すればよい。音声変換停止キーが押下されると、このキーデータがコントローラ部９に入力され、コントローラ部９でキーデータを識別して、音声変換解除の旨が認識される（ステップＳ１１１）。
【００５６】
音声変換を行う通話を解除すると判定された場合（ステップＳ１１０でＹＥＳ）、コントローラ部９は、音声変換を行わないように音声処理部６に指示する信号を出力して、音声変換を停止させる（ステップＳ１１２）。そして、音声変換を行わない通常の音声による通話を行い、通話が終了すると（ステップＳ１１３）、コントローラ部９の処理を終了する。
【００５７】
音声変換を行う通話を解除しない場合は（ステップＳ１１０でＮＯ）、音声変換を行う通話を継続し、通話が終了すると（ステップＳ１１４）、コントローラ部９は、音声変換の処理の停止を指示する信号を音声処理部６に出力して、音声変換処理を停止させ（ステップＳ１１５）、コントローラ部９の処理を終了する。
【００５８】
以上説明したように、本実施形態によれば、発信者電話番号が通知されず通話相手を特定できない着信に対して、上り音声を音声変換して通話相手に送信しているため、通話相手にこちらの音声が特定されず、安心して通話を行うことが可能となる。
【００５９】
また、発信者電話番号が通知されていても該発信者電話番号が電話帳に登録されていない場合には、通話相手を特定できないものとして音声変換を行うため、通話相手にこちらの音声が特定されず、安心して通話できる。
【図面の簡単な説明】
【００６０】
【図１】本発明の音声変換機能付き携帯電話の一実施形態を示すブロック図である。
【図２】音声処理部の一例を示す詳細ブロック図である。
【図３】本実施形態の動作を説明するフローチャートである。
【符号の説明】
【００６１】
１    アンテナ
２    メモリ
２１    音声データ
３    マイク
４    レシーバ
５    送受信部
６    音声処理部
６０    音声変換切替スイッチ
６１    音声認識部
６１１    音素認識部
６１２    音素テーブル
６２    音声変換部
６２１    音素変換部
６２２    合成部
６３    エンコード部
６４    デコード部
７    音声コーデック部
８    表示部
９    コントローラ部
１０    キー入力部
１００    音声変換機能付き携帯電話
【図１】
2005269259.tif 000003
【図２】
2005269259.tif 000004
【図３】
2005269259.tif 000005